【手続補正書】
【提出日】平成16年4月5日(2004.4.5)
【手続補正１】
【補正対象書類名】明細書
【補正対象項目名】発明の名称
【補正方法】変更
【補正の内容】
【発明の名称】映像記録装置及び再生装置、並びに映像記録方法及び再生方法
【手続補正２】
【補正対象書類名】明細書
【補正対象項目名】特許請求の範囲
【補正方法】変更
【補正の内容】
【特許請求の範囲】
【請求項１】
所定単位のビデオ信号が固定長となるように圧縮すると共に、圧縮率が変更可能とされたビデオ圧縮手段と、
記録モードを設定するためのモード設定入力が与えられる入力手段と、
上記入力手段からのモード設定入力に応じて、上記ビデオ圧縮手段の圧縮率を可変させる圧縮率設定手段と、
上記圧縮されたビデオ信号に上記記録モードの情報を含むステータス情報を付加してブロックを形成し、上記ブロック単位でビデオ信号及びステータス情報を記録媒体に記録する記録手段と
を備えるようにした映像記録装置。
【請求項２】
圧縮されたビデオ信号に記録モードの情報を含むステータス情報を付加したブロック単位で、記録媒体からビデオ信号及びステータス情報を再生する再生手段と、
上記ブロックからステータス情報を検出して記録モードを判断し、上記記録モードに応じて圧縮率を設定する手段と、
上記圧縮率に基づいて上記記録媒体から再生されたビデオ信号を伸長するビデオ伸長手段と
を備えるようにした映像再生装置。
【請求項３】
所定単位のビデオ信号を所定間隔で間引きをすると共に、上記間引き間隔が変更可能とされた間引き手段と、
記録モードを設定するためのモード設定入力が与えられる入力手段と、
上記入力手段からのモード設定入力に応じて、上記間引き間隔を可変させる間引き変更手段と、
上記ビデオ信号に上記記録モードの情報を含むステータス情報を付加してブロックを形成し、上記ブロック単位でビデオ信号及びステータス情報を記録媒体に記録する記録手段と
を備えるようにした映像記録装置。
【請求項４】
ビデオ信号に記録モードの情報を含むステータス情報を付加したブロック単位で、記録媒体からビデオ信号及びステータス情報を再生する再生手段と、
上記ブロックからステータス情報を検出して記録モードを判断し、上記記録モードに応じて上記記録媒体から再生されたビデオ信号を補間するビデオ補間手段と
を備えるようにした映像再生装置。
【請求項５】
所定単位のビデオ信号が固定長となるように圧縮すると共に、圧縮率が変更可能とされたステップと、
記録モードを設定するためのモード設定入力が与えられるステップと、
上記モード設定入力に応じて、上記圧縮率を可変させるステップと、
上記圧縮されたビデオ信号に上記記録モードの情報を含むステータス情報を付加してブロックを形成し、上記ブロック単位でビデオ信号及びステータス情報を記録媒体に記録するステップと
を備えるようにした映像記録方法。
【請求項６】
圧縮されたビデオ信号に記録モードの情報を含むステータス情報を付加したブロック単位で、記録媒体からビデオ信号及びステータス情報を再生するステップと、
上記ブロックからステータス情報を検出して記録モードを判断し、上記記録モードに応じて圧縮率を設定するステップと、
上記圧縮率に基づいて上記記録媒体から再生されたビデオ信号を伸長するステップと
を備えるようにした映像再生方法。
【請求項７】
所定単位のビデオ信号を所定間隔で間引きをすると共に、上記間引き間隔が変更可能とされたステップと、
記録モードを設定するためのモード設定入力が与えられるステップと、
上記モード設定入力に応じて、上記間引き間隔を可変させるステップと、
上記ビデオ信号に上記記録モードの情報を含むステータス情報を付加してブロックを形成し、上記ブロック単位でビデオ信号及びステータス情報を記録媒体に記録するステップと
を備えるようにした映像記録方法。
【請求項８】
ビデオ信号に記録モードの情報を含むステータス情報を付加したブロック単位で、記録媒体からビデオ信号及びステータス情報を再生するステップと、
上記ブロックからステータス情報を検出して記録モードを判断し、上記記録モードに応じて上記記録媒体から再生されたビデオ信号を補間するステップと
を備えるようにした映像再生方法。
【手続補正３】
【補正対象書類名】明細書
【補正対象項目名】０００１
【補正方法】変更
【補正の内容】
【０００１】
【発明の属する技術分野】
この発明は、番組が絶えず記録媒体に記録されるようなテレビジョン受像機に用いて好適な映像記録装置及び再生装置、並びに映像記録方法及び再生方法に関するもので、特に、長時間記録モードの設定に係わる。


【手続補正４】
【補正対象書類名】明細書
【補正対象項目名】００１０
【補正方法】変更
【補正の内容】
【００１０】
したがって、この発明の目的は、ハードディスク等の記録媒体にビデオ信号を記録するようにした場合に、簡単に長時間記録モードが設定できる映像記録装置及び再生装置、並びに映像記録方法及び再生方法を提供することにある。


【手続補正５】
【補正対象書類名】明細書
【補正対象項目名】００１１
【補正方法】変更
【補正の内容】
【００１１】
【課題を解決するための手段】
請求項１に係わる発明は、所定単位のビデオ信号が固定長となるように圧縮すると共に、圧縮率が変更可能とされたビデオ圧縮手段と、記録モードを設定するためのモード設定入力が与えられる入力手段と、入力手段からのモード設定入力に応じて、ビデオ圧縮手段の圧縮率を可変させる圧縮率設定手段と、圧縮されたビデオ信号に記録モードの情報を含むステータス情報を付加してブロックを形成し、ブロック単位でビデオ信号及びステータス情報を記録媒体に記録する記録手段とを備えるようにした映像記録装置である。
請求項２に係わる発明は、圧縮されたビデオ信号に記録モードの情報を含むステータス情報を付加したブロック単位で、記録媒体からビデオ信号及びステータス情報を再生する再生手段と、ブロックからステータス情報を検出して記録モードを判断し、記録モードに応じて圧縮率を設定する手段と、圧縮率に基づいて記録媒体から再生されたビデオ信号を伸長するビデオ伸長手段とを備えるようにした映像再生装置である。
【手続補正６】
【補正対象書類名】明細書
【補正対象項目名】００１２
【補正方法】変更
【補正の内容】
【００１２】
請求項３に係わる発明は、所定単位のビデオ信号を所定間隔で間引きをすると共に、間引き間隔が変更可能とされた間引き手段と、記録モードを設定するためのモード設定入力が与えられる入力手段と、入力手段からのモード設定入力に応じて、間引き間隔を可変させる間引き変更手段と、ビデオ信号に記録モードの情報を含むステータス情報を付加してブロックを形成し、ブロック単位でビデオ信号及びステータス情報を記録媒体に記録する記録手段とを備えるようにした映像記録装置である。
請求項４に係わる発明は、ビデオ信号に記録モードの情報を含むステータス情報を付加したブロック単位で、記録媒体からビデオ信号及びステータス情報を再生する再生手段と、ブロックからステータス情報を検出して記録モードを判断し、記録モードに応じて記録媒体から再生されたビデオ信号を補間するビデオ補間手段とを備えるようにした映像再生装置である。
【手続補正７】
【補正対象書類名】明細書
【補正対象項目名】００１３
【補正方法】変更
【補正の内容】
【００１３】
請求項５に係わる発明は、所定単位のビデオ信号が固定長となるように圧縮すると共に、圧縮率が変更可能とされたステップと、記録モードを設定するためのモード設定入力が与えられるステップと、モード設定入力に応じて、圧縮率を可変させるステップと、圧縮されたビデオ信号に記録モードの情報を含むステータス情報を付加してブロックを形成し、ブロック単位でビデオ信号及びステータス情報を記録媒体に記録するステップとを備えるようにした映像記録方法である。
請求項６に係わる発明は、圧縮されたビデオ信号に記録モードの情報を含むステータス情報を付加したブロック単位で、記録媒体からビデオ信号及びステータス情報を再生するステップと、ブロックからステータス情報を検出して記録モードを判断し、記録モードに応じて圧縮率を設定するステップと、圧縮率に基づいて記録媒体から再生されたビデオ信号を伸長するステップとを備えるようにした映像再生方法である。
【手続補正８】
【補正対象書類名】明細書
【補正対象項目名】００１４
【補正方法】変更
【補正の内容】
【００１４】
請求項７に係わる発明は、所定単位のビデオ信号を所定間隔で間引きをすると共に、間引き間隔が変更可能とされたステップと、記録モードを設定するためのモード設定入力が与えられるステップと、モード設定入力に応じて、間引き間隔を可変させるステップと、ビデオ信号に記録モードの情報を含むステータス情報を付加してブロックを形成し、ブロック単位でビデオ信号及びステータス情報を記録媒体に記録するステップとを備えるようにした映像記録方法である。
請求項８に係わる発明は、ビデオ信号に記録モードの情報を含むステータス情報を付加したブロック単位で、記録媒体からビデオ信号及びステータス情報を再生するステップと、ブロックからステータス情報を検出して記録モードを判断し、記録モードに応じて記録媒体から再生されたビデオ信号を補間するステップとを備えるようにした映像再生方法である。